【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
以下を含む、エネルギー信号を送出および収集し、エネルギー信号によって体組織のエネルギー信号分析および／またはエネルギー信号処置を可能にするための、カテーテル内に配置されるカテーテルチップ装置：
ハウジング上に設置された、複数の環状に配置された細長い溝を有する細長いハウジング；および
細長い溝のそれぞれの中に配置された可撓性のエネルギー運搬部材であって、エネルギー運搬部材のそれぞれがエネルギー送出源または信号分析センターと連通している基端部を有し、カテーテルが置かれる体組織のエネルギー分析またはエネルギー処置を方向付けするための光線転換器部材と連通している最先端部を有する、可撓性のエネルギー運搬部材。
【請求項２】
溝が、ハウジングの外面上に配置されている、請求項1記載のカテーテルチップ装置。
【請求項３】
溝が、ハウジングの内面上に配置されている、請求項1記載のカテーテルチップ装置。
【請求項４】
エネルギー運搬部材の最先端部が、そこに光線方向転換装置と一緒に光ファイバーを含んでいる、請求項1記載のカテーテルチップ装置。
【請求項５】
エネルギー運搬部材の最先端部が、角度の付いた反射面に向けられている、請求項1記載のカテーテルチップ装置。
【請求項６】
ハウジングが、その中心を貫通して配置される縦方向の穴を有する、請求項1記載のカテーテルチップ装置。
【請求項７】
ハウジングの穴の中に配置されるエネルギー運搬部材を含む、請求項6記載のカテーテルチップ装置。
【請求項８】
生体内腔内でのカテーテルチップ装置の方向付けを可能にする、穴を通って配置される細長いガイドワイヤーを含む、請求項6記載のカテーテルチップ装置。
【請求項９】
エネルギー運搬部材が、穴の中に配置され、穴の中で縦方向に転置できるファイバーを含んでいる、請求項7記載のカテーテルチップ装置。
【請求項１０】
エネルギー運搬部材が光ファイバーを含み、光ファイバーがハウジングの溝の中で縦方向に転置できる、請求項1記載のカテーテルチップ装置。
【請求項１１】
溝のそれぞれが、溝内に配置されるエネルギー運搬部材にアバットメントを提供するため出っ張りをその先端部に有している、請求項1記載のカテーテルチップ装置。
【請求項１２】
ハウジング内の溝が、その軸方向の長さが同一でない、請求項1記載のカテーテルチップ装置。
【請求項１３】
光線方向転換部材が、環状の反射面を含む反射面を含む、請求項4記載のカテーテルチップ装置。
【請求項１４】
環状の反射面が、溝の先端部に対し縦方向に転置可能である、請求項13記載のカテーテルチップ装置。
【請求項１５】
反射面のそれぞれが、溝のそれぞれの幅に対し等しいアーチ形幅である、請求項13記載のカテーテルチップ装置。
【請求項１６】
反射面のそれぞれが、溝のそれぞれのアーチ形寸法より大きなアーチ形寸法である、請求項13記載のカテーテルチップ装置。
【請求項１７】
少なくとも1つのファイバー上の光線方向転換部材が、ボールを含む、請求項13記載のカテーテルチップ装置。
【請求項１８】
反射面が、ファイバーの縦軸に対し約45度の角度に配置されている、請求項4記載のカテーテルチップ装置。
【請求項１９】
ハウジングが、溝を収めたハウジングに対し小径が小さい基端部分を含む、請求項1記載のカテーテルチップ装置。
【請求項２０】
反射面が、レンズプリズムの環状列を含む、請求項4記載のカテーテルチップ装置。
【請求項２１】
プリズムの環状列の少なくとも1つが、少なくとも2本のファイバーと連通している、請求項20記載のカテーテルチップ装置。
【請求項２２】
反射面が溝に隣接して、円周に配置される円錐形反射器を含む、請求項13記載のカテーテルチップ装置。
【請求項２３】
円周に隣接する反射面が、互いに同一でない、請求項13記載のカテーテルチップ装置。
【請求項２４】
反射面が、縦方向にアーチ形をしている、請求項13記載のカテーテルチップ装置。
【請求項２５】
以下を含む、光エネルギー信号を送出および収集し、エネルギー信号によってカテーテルチップ装置に隣接する体組織の分析および／または処置を可能にするための、カテーテル内に配置されるカテーテルチップ装置：
縦軸、およびハウジング上に設置された複数の環状に配置される細長い溝を有する細長いハウジング；ならびに
細長い溝のそれぞれの中に配置される可撓性の光エネルギー運搬ファイバーであって、ファイバーのそれぞれが光エネルギー送出源または光信号分析センターと連通している基端部、および、カテーテルが置かれる体組織のエネルギー分析またはエネルギー処置を方向付けするための反射器装置と間隔をあけて光伝達連通している先端面を有し、各溝の中のファイバーが、軸方向に配置される光運搬ファイバーの環状列を含む、可撓性の光エネルギー運搬ファイバー。
【請求項２６】
反射器が、各ファイバーの面端に隣接して先端に配置されている単一環状面を含む、請求項25記載のカテーテルチップ装置。
【請求項２７】
反射器が、隣接反射器の環状列として、ファイバーの各面端に隣接して先端に配置されている不連続な独立反射面を含む、請求項25記載のカテーテルチップ装置。
【請求項２８】
反射器が、レンズプリズムを含む、請求項25記載のカテーテルチップ装置。
【請求項２９】
反射器が、各ファイバーの端面に隣接して先端に配置されている環状のレンズプリズムを含む、請求項25記載のカテーテルチップ装置。
【請求項３０】
環状列内の隣接する反射器が、異なる表面特性を有している、請求項27記載のカテーテルチップ装置。
【請求項３１】
環状列内の隣接する反射器が、ハウジングの縦軸に対し異なる角度で配置されている、請求項27記載のカテーテルチップ装置。
【請求項３２】
ファイバーの環状列内の隣接するファイバーが、互いに異なる光信号を運搬する、請求項25記載のカテーテルチップ装置。
【請求項３３】
ハウジングが、貫通して延びる中心ルーメンを有し、そしてその中に細長い光信号ファイバーが配置されている、請求項25記載のカテーテルチップ装置。
【請求項３４】
中心ルーメン内に配置されるファイバーが、細長いハウジングのプローブに対し縦方向に転置できる、請求項33記載のカテーテルチップ装置。
【請求項３５】
独立反射面のそれぞれが、細長いハウジングに対し異なる縦方向位置に配置されている、請求項27記載のカテーテルチップ装置。
【請求項３６】
ファイバーの環状配列の少なくとも1つが、分散光伝達のためその上にボールチップを有している、請求項25記載のカテーテルチップ装置。
【請求項３７】
反射器装置が、光エネルギー運搬ファイバーの面端に対し縦方向に転置できる、請求項25記載のカテーテルチップ装置。
【請求項３８】
以下を含む、光エネルギー信号を送出および収集し、エネルギー信号によってカテーテルチップ装置に隣接する体組織の分析および／または処置を可能にするための、カテーテル内に配置されるカテーテルチップ装置：
縦軸、およびハウジング上に設置された複数の環状に配置される細長い溝を有する細長いハウジング；および
細長い溝のそれぞれの中に配置される可撓性の光エネルギー運搬ファイバーであって、ファイバーのそれぞれが光エネルギー送出源または光信号分析センターと連通している基端部、および、体組織と間隔をあけて光伝達連通している先端面を有し、各溝の中のファイバーが、軸方向に配置される光運搬ファイバーの環状列を集合的に含む、可撓性の光エネルギー運搬ファイバー。
【請求項３９】
光収集ファイバーのそれぞれが、互いに縦方向に間隔をあけている先端部を有している、請求項38記載のカテーテルチップ装置。
【請求項４０】
光運搬ファイバーのそれぞれが、分析する組織に関して光エネルギーを送出し、そして収集するように配置されている、請求項38記載のカテーテルチップ装置。
【請求項４１】
光運搬ファイバーのそれぞれが、その光路に光方向転換部材を有している、請求項38記載のカテーテルチップ装置。
【請求項４２】
光運搬ファイバーが、体組織に送出される光エネルギー光線より広い光エネルギー光線を収集する、請求項38記載のカテーテルチップ装置。
【請求項４３】
光方向転換部材が、最適な光エネルギー光線方向のために凸、凹、非球面、平面、放物形であってもよい、請求項41記載のカテーテルチップ装置。